(57)【要約】【課題】夏期、中間期、及び冬期にかかわらず年間を通じて省エネ性に優れた除湿空調装置を提供する。【解決手段】全熱交換運転モードでは、除湿運転モードと比較して外気の湿度が低いので給気路１２における除湿処理は除湿は必要とされず、従って顕熱交換器４２通風後の室内空気を加熱する必要性がない。一方、給気路１２に取り込まれた外気の温度は低く、排気路１４に取り込まれた室内空気の温度は高いので、排気路１４から給気路１２への顕熱交換が必要とされる。そこで、除湿空調装置１０において、加熱ヒータ５０を停止させると共に除湿剤ロータ４０を高速回転させて除湿剤ロータ４０及び顕熱交換器４２で全熱交換を行うことにより、大幅な省エネを行うことができる。【選択図】    図１
2004257588.tif 000002
【特許請求の範囲】
【請求項１】
外気を室内に給気する給気路と室内空気を排気する排気路との間に跨がって回転し、内部に充填された除湿剤が前記給気路で外気と接触すると共に前記排気路で室内空気と接触する除湿剤ロータと、前記給気路と前記排気路との間に跨がって設けられ、前記給気路の外気と前記排気路の室内空気との顕熱の交換を行う顕熱交換器と、前記排気路における前記除湿剤ロータと前記顕熱交換器の間に設けられ、顕熱交換器で熱交換された室内空気を前記除湿剤ロータの除湿剤を再生させる再生温度に加熱する加熱ヒータと、を備えた除湿空調装置において、
前記除湿剤ロータの回転速度を可変する可変手段と、
前記外気の温湿度を検出する外気温湿度検出計と、
前記外気温湿度検出計で測定した測定結果に基づいて前記可変手段により前記除湿剤ロータの回転速度を制御する制御手段と、を設けたことを特徴とする除湿空調装置。
【請求項２】
前記制御手段は、前記外気温湿度検出計で測定した外気の測定結果に基づいて、前記除湿剤ロータで外気の除湿が必要な除湿運転モードと除湿が不必要な全熱交換運転モードとの２モードに切り換え制御すると共に、前記除湿運転モードに切り替わると、前記除湿剤ロータが１０〜３０ｒｐｈ  で低速回転し、前記全熱交換運転モードに切り替わると５００〜１５００ｒｐｈ  で高速回転することを特徴とする請求項１の除湿空調装置。
【請求項３】
前記給気路には、前記顕熱交換器の上流側と下流側とを繋ぐ顕熱交換器バイパスダクト及び／又は前記除湿剤ロータの上流側と下流側とを繋ぐ除湿剤ロータバイパスダクトが形成されると共に、各バイパスダクトにはバイパスさせる風量を調整するためのダンパーが設けられていることを特徴とする請求項１又は２の除湿空調装置。
【請求項４】
前記顕熱交換器を前記給気路と前記排気路との間に跨がって回転するロータ型の顕熱交換ロータで構成し、前記排気路には、前記顕熱交換ロータの下流側と前記除湿剤ロータの下流側とを繋ぐ排気路バイパスダクトを設けると共に該排気路バイパスダクトにバイパスさせる風量を調整するダンパーを設け、前記顕熱交換器の回転方向終端部を通過する室内空気を前記バイパスダクトに流すようにしたことを特徴とする請求項１〜３の何れか１の除湿空調装置。
【請求項５】
前記顕熱交換器における回転方向終端部は、顕熱交換器の回転方向から見て１５０〜１８０°の部分であることを特徴とする請求項４の除湿空調装置。
【発明の詳細な説明】
【０００１】
【発明の属する技術分野】
本発明は除湿空調装置に係り、特に乾式除湿型の除湿空調装置に関する。
【０００２】
【従来の技術】
低湿度を必要とする空間を空調するにあたって、外気の取り込みを必要とするビル設備や外気取り込み量の多いクリーンルーム設備等においては、特に外気の湿度が高くなる夏期には湿分を結露させて除去する冷却コイルに多大な負荷がかかっている。この冷却コイルの負荷を低減する省エネタイプの空調装置として、例えば特許文献１や特許文献２に見られるように、除湿剤を内部に充填した除湿剤ロータを給気路と排気路とを跨ぐように回転し、給気路で外気の除湿を行うと共に排気路で除湿能力の再生が成されるようにした乾式除湿型の除湿空調装置がある。
【０００３】
図６は、従来の乾式除湿型の除湿空調装置１０の一般的な構成を示す断面図である。
【０００４】
外気の湿度が高い夏期の場合、給気路ファン３２により給気路入口２０から給気路１２へ取り込まれた外気は、給気路エアフィルタ３０を経て除湿剤ロータ４０を通過し、外気中に含まれる水分が除湿剤ロータ４０内にある除湿剤により吸着される。その際発生する吸着熱が顕熱交換器４２の顕熱交換により冷却され、給気路出口２２から給気として室内に供給される。一方、排気路ファン３６により排気路入口２４から排気路１４へ取り込まれた室内空気は、排気路エアフィルタ３４を経て顕熱交換器４２の顕熱交換により加熱され、加熱ヒータ５０で更に加熱されて除湿剤ロータ４０を通過する。通過する際、除湿剤は加熱された室内空気によって給気路１２で外気から吸着した水分が除去されて再生すると同時に、発生する気化熱により室内空気が冷却され排気路出口２６から排気される。
【０００５】
又、外気の温度及び湿度が低い冬期及び中間期（春期や秋期）の場合、給気路入口２０から取り込まれて除湿処理及び顕熱交換された外気は、給気路出口２２に設けられた給気路温湿度検出計６４の値から給気路温湿度コントローラ６６で給気路加熱ヒータ６０の加熱量と加湿器７０の加湿量とを制御することにより、所定の温湿度に調整された給気として給気路出口２２から室内へと供給される。
【０００６】
【特許文献１】
特開平１１−３２５５１０号公報
【０００７】
【特許文献１】
特開２０００−２９１９７９号公報
【０００８】
【発明が解決しようとする課題】
しかしながら、従来の除湿空調装置１０では、冬期における外気の温湿度調整に給気路加熱ヒータ６０と加湿器７０とが必要になり、せっかく除湿剤ロータ４０による省エネを図っても、冬期には満足できるほどの省エネにならないという欠点がある。
【０００９】
更に、従来の除湿空調装置１０の場合、除湿剤の再生に利用された排気路１４の加熱空気は、排気路１４の加熱ヒータ５０で発生する加熱エネルギーの約３０％程度しか利用されていないため、排気路出口２６で高温のまま室外へと排気されており、この点でも十分な省エネが達成されていないという問題がある。
【００１０】
本発明はこのような事情に鑑みてなされたもので、夏期、中間期、及び冬期にかかわらず年間を通じて省エネ性に優れた除湿空調装置を提供することを目的とする。
【００１１】
【課題を解決するための手段】
本発明の請求項１は前記目的を達成するために、外気を室内に給気する給気路と室内空気を排気する排気路との間に跨がって回転し、内部に充填された除湿剤が前記給気路で外気と接触すると共に前記排気路で室内空気と接触する除湿剤ロータと、前記給気路と前記排気路との間に跨がって設けられ、前記給気路の外気と前記排気路の室内空気との顕熱の交換を行う顕熱交換器と、前記排気路における前記除湿剤ロータと前記顕熱交換器の間に設けられ、顕熱交換器で熱交換された室内空気を前記除湿剤ロータの除湿剤を再生させる再生温度に加熱する加熱ヒータと、を備えた除湿空調装置において、前記除湿剤ロータの回転速度を可変する可変手段と、前記外気の温湿度を検出する外気温湿度検出計と、前記外気温湿度検出計で測定した測定結果に基づいて前記可変手段により前記除湿剤ロータの回転速度を制御する制御手段と、を設けたことを特徴とする。
【００１２】
本発明の請求項１によれば、制御手段が外気の温湿度に基づいて可変手段を制御することで、除湿剤ロータの回転速度を可変できるようにした。これにより、除湿剤ロータを低速回転することにより、除湿剤ロータを従来の除湿空調装置と同様に除湿器として使用し、逆に、除湿剤ロータを高速回転することにより、除湿剤ロータを除湿器としてだけでなく、いわゆる全熱交換器として主に使用することができる。この全熱交換器は、顕熱だけでなく空気中の水分即ち潜熱の交換も行う。従って、冬期や中間期のように外気の湿度が低く、室内に給気する空調空気の温湿度から見て除湿剤ロータで外気を除湿する必要のない場合には、除湿剤ロータを全熱交換器として使用すれば、排気路において顕熱交換器及び加熱ヒータで加熱された空気の顕熱や潜熱を給気路を流れる外気の加熱や加湿に利用することができる。これにより、本発明では、図６に示した給気路加熱ヒータや加湿器が必要なくなるので、大幅な省エネを行うことができる。
【００１３】
本発明の場合、外気の温湿度に基づいて除湿剤ロータの回転速度を可変することに加えて、排気路の加熱ヒータの温度も制御するようにすれば、給気路における外気の温湿度調整がし易くなると共に一層の省エネになる。
【００１４】
本発明の請求項２は請求項１において、前記制御手段は、前記外気温湿度検出計で測定した外気の測定結果に基づいて、前記除湿剤ロータで外気の除湿が必要な除湿運転モードと除湿が不必要な全熱交換運転モードとの２モードに切り換え制御すると共に、前記除湿運転モードに切り替わると、前記除湿剤ロータが１０〜３０ｒｐｈ  で低速回転し、前記全熱交換運転モードに切り替わると５００〜１５００ｒｐｈ  で高速回転することを特徴とする。
【００１５】
本発明の請求項２は、制御手段による制御の一例を示したもので、制御手段は、外気温湿度検出計で測定した外気の測定結果に基づいて、除湿剤ロータで外気の除湿が必要な除湿運転モード（夏期）と除湿が不必要な全熱交換運転モード（冬期と中間期）との２モードに切り換え制御する。そして、除湿運転モードのときには、除湿剤ロータが１０〜３０ｒｐｈ  で低速回転して除湿器として使用する。又、全熱交換運転モードのときには、除湿剤ロータが５００〜１５００ｒｐｈ  で高速回転して全熱交換器として使用する。
【００１６】
本発明の請求項３は請求項１又は２において、前記給気路には、前記顕熱交換器の上流側と下流側とを繋ぐ顕熱交換器バイパスダクト及び／又は前記除湿剤ロータの上流側と下流側とを繋ぐ除湿剤ロータバイパスダクトが形成されると共に、各バイパスダクトにはバイパスさせる風量を調整するためのダンパーが設けられていることを特徴とする。
【００１７】
外気の温湿度によっては、給気路に取り込まれた外気の全量を除湿剤ロータや顕熱交換器に通さなくても室内へ給気する所望の温湿度を得ることができる場合があり、このような場合に外気の全量を通すことは除湿剤ロータや顕熱交換器での圧力損失を生じる。従って、本発明のように除湿剤ロータバイパスダクトを形成すれば、外気の湿度が低くて除湿剤ロータの除湿能力が小さくてよい場合には、除湿剤ロータバイパスダクトのダンパー開度を調整して、外気の一部を除湿剤ロータバイパスダクトに流してやることができ、圧力損失を低減できる。又、顕熱交換器バイパスダクトの場合にも同様である。これにより、給気路に外気を取り込む、ファン等の負荷が小さくなるので、省エネになる。
【００１８】
本発明の請求項４は請求項１〜３の何れか１において、前記顕熱交換器を前記給気路と前記排気路との間に跨がって回転するロータ型の顕熱交換ロータで構成し、前記排気路には、前記顕熱交換ロータの下流側と前記除湿剤ロータの下流側とを繋ぐ排気路バイパスダクトを設けると共に該バイパスダクトにバイパスさせる風量を調整するダンパーを設け、前記顕熱交換器における回転方向終端部を通過する室内空気が前記バイパスダクトを流れるようにしたことを特徴とする。
【００１９】
本発明者は、ロータ型の顕熱交換器の場合、排気路において顕熱交換器の回転方向終端部を通過した室内空気は、他の部分を通過した室内空気よりも低温であり、加熱ヒータに達する室内空気の温度を下げる要因になっているとの知見を得た。又、冬期のように外気の温度が低いときには除湿剤ロータでも全熱交換が行われるので、室内空気を加熱ヒータに通してしまうと、それだけ前記加熱ヒータによる加熱が必要となり、省エネの点で問題がある。そこで、本発明では、顕熱交換ロータの下流側と除湿剤ロータの下流側とを繋ぐ排気路バイパスダクトを設けると共に該バイパスダクトにバイパスさせる風量を調整するダンパーを設け、排気路において顕熱交換器の回転方向終端部を通過した室内空気が加熱ヒータに供給されないようにしたので、加熱ヒータの省エネを行うことができる。又、バイパスダクトを流れた室内空気をそのまま排気しても、低温なので問題ない。
【００２０】
本発明の請求項５は請求項４において、前記顕熱交換器における回転方向終端部は、顕熱交換器における回転方向から見て１５０〜１８０°の位置であることを特徴とする。これは、顕熱交換器における回転方向終端部の好ましい位置を具体的に示したもので、この角度範囲における室内空気をバイパスダクトにバイパスさせることが好ましい。
【００２１】
【発明の実施の形態】
以下添付図面に従って、本発明に係わる除湿空調装置の好ましい実施の形態について詳説する。
【００２２】
図１及び図２は、本発明の除湿空調装置における第１の実施の形態の全体構成を示した斜視図及び断面図であり、可変手段、外気温湿度検出器、及び制御手段を設けた例である。尚、図６と同じ装置、部材は同符号を符して説明する。
【００２３】
これらの図に示すように、除湿空調装置１０における主な構成は図６で示した除湿空調装置１０と同様であるが、給気路１２において、給気路ファン３２と除湿剤ロータ４０との間に取り込まれた外気の温湿度を監視する外気温湿度検出器４６と、除湿剤ロータ４０の変速回転を可能とする可変手段であるモータ４４と、制御手段である除湿剤ロータ４０の運転を制御する運転切り替えコントローラ４８とが設けられており、運転切り替えコントローラ４８は、外気温湿度検出器４６とモータ４４と排気路温度コントローラ５６と信号ケーブルを介して接続している。そして、図６で示した従来の除湿空調装置１０に設けられていた給気路加熱ヒータ６０、給気路加熱ヒータ熱媒配管６２、給気路温湿度検出計６４、給気路温湿度コントローラ６６、給気路熱媒流量制御装置６８は除去されている。尚、白色矢印は給気又は排気が流れる方向を、黒色点線矢印は検出値や制御信号等の情報が送られる方向を示している。
【００２４】
次に、上述した本発明第１の実施の形態における除湿空調装置１０の作用について説明する。
【００２５】
外気の温湿度が高い夏期では、運転切り替えコントローラ４８は、外気温湿度検出器４６の検出値に基づき自動的に除湿運転モードへ運転を切り替えて、除湿剤ロータ４０を１０〜３０ｒｐｈ  で低回転させると共に排気路温度コントローラ５６を介して加熱ヒータ５０のバルブ５８の開閉を制御することにより加熱ヒータの温度を調整する。すると、給気路ファン３２により給気路入口２０から取り込まれた外気は、給気路エアフィルタ３０を経て除湿剤ロータ４０を通過することにより外気中に含まれる水分を除湿剤ロータ４０内の除湿剤で吸着する。吸着される際に発生する吸着熱により除湿処理された外気が加熱され、顕熱交換器４２において顕熱の交換を行うことにより冷却されて給気路出口２２から室内に給気される。一方、排気路ファン３６により排気路１４へ取り込まれた室内空気は、排気路入口２４から排気路エアフィルタ３４を経て顕熱交換器４２において顕熱の交換を行うことにより加熱され、加熱ヒータ５０において除湿剤ロータ４０の湿分を除去するのに必要な温度まで加熱されて除湿剤ロータ４０を通過する。除湿剤ロータ４０は回転しているので、除湿剤ロータ４０内の除湿剤が給気路１２と排気路１４とを循環しており、排気路１４で加熱された室内空気によって、給気路１２において除湿剤に吸着した水分が除去されて除湿剤が再生される。その際に生じる気化熱により、室内空気が冷却されて排気路出口２６から室外へと排出される。
【００２６】
外気の温度及び湿度が低い冬期及び中間期（春期及び秋期）では、運転切り替えコントローラ４８は、外気温湿度検出器４６の検出値に基づき自動的に全熱交換運転モードへ運転を切り替えて、除湿剤ロータ４０を５００〜１５００ｒｐｈ  で高回転させる排気路温度コントローラ５６を介して加熱ヒータ５０のバルブ５８の開閉を制御することにより加熱ヒータ５０の温度を調整する。すると、給気路ファン３２により給気路入口２０から取り込まれた外気は、給気路エアフィルタ３０を経て除湿剤ロータ４０へ供給される。回転している除湿剤ロータ４０において、排気路１４に設けられた加熱ヒータ５０で温度調整された室内空気と顕熱の交換を行い、そして顕熱交換器４２において顕熱の交換を行うことにより更に加熱されて、外気が全熱交換される。こうして全熱交換により加熱された外気は給気路出口２２から給気として室内に供給される。一方、排気路ファン３６により排気路１４へ取り込まれた室内空気は、排気路入口２４から排気路エアフィルタ３４を経て顕熱交換器４２で顕熱の交換を行うことにより冷却される。そして、回転している除湿剤ロータ４０で給気路１２に取り込まれた外気と全熱交換を行うことにより、室内空気が冷却されて排気路出口２６から室外へと排気される。
【００２７】
係る除湿空調装置１０の運転において、全熱交換運転モードでは、通常の除湿空調運転である除湿運転モードと比較して、外気の湿度が低いので給気路１２における除湿処理は除湿は必要とされず、従って顕熱交換器４２通風後の室内空気を加熱する必要性がない。一方、給気路１２に取り込まれた外気の温度は低く、排気路１４に取り込まれた室内空気の温度は高いので、排気路１４から給気路１２への顕熱交換が必要とされる。そこで、再生側加熱ヒータ５０を停止させて除湿剤ロータ４０を高速回転させて、除湿剤ロータ４０及び顕熱交換器４２で全熱交換を行うことにより、排気路１４における室内空気と給気路１２の外気との熱交換を効率よく行うことができ、且つ大幅な省エネを行うことができる。
【００２８】
図３は、本発明の除湿空調装置１０の第２の実施の形態の全体構成を示した示した断面図であり、給気路１２に２つのバイパスダクトを設けた例である。
【００２９】
図３に示すように、除湿空調装置１０の主な構成は図２の除湿空調装置１０と同様であるが、給気路１２において、除湿剤ロータ４０の上流側と下流側とを直接通風させる除湿剤ロータバイパスダクト７２と、除湿剤ロータバイパスダクト７２の風量を調整する除湿剤ロータダンパ７４と、顕熱交換器４２の上流側と下流側を直接通風させる顕熱交換器バイパスダクト７６と、顕熱交換器バイパスダクト７６の風量を調整する顕熱交換器ダンパ７８とが設けられている。尚、除湿剤ロータダンパ７４及び顕熱交換器ダンパ７８は運転切り替えコントローラ４８と信号ケーブルを介して接続しており、給気路１２の除湿剤ロータ４０上流側に設けられた外気温湿度検出器４６の検出値を基に、運転切り替えコントローラ４８から各ダンパ７４、７８の閉開を制御することにより、各バイパス７２、７６を通過させる風量が調整される。
【００３０】
次に、上述した本発明第２の実施の形態における除湿空調装置１０の作用について説明する。
【００３１】
外気の温湿度によっては、給気路１２に取り込まれた外気の全てを除湿剤ロータ４０及び顕熱交換器４２を通過させて除湿処理及び顕熱交換を行わなくても、室内へ吸気する所望の温湿度を得ることができる場合がある。このような場合にも外気の全てを通過させてしまうと、除湿剤ロータ４０及び顕熱交換器４２に負荷がかかって圧力損失を生じる虞がある。従って、外気温湿度検出器４６の値を基に、運転切り替えコントローラ４８で制御されている除湿剤ロータダンパ７４及び／又は顕熱交換器ダンパ７８を自動的に開閉させることにより、外気の一部が除湿剤ロータバイパスダクト７２及び／又は顕熱交換器バイパスダクト７６へ流れて、除湿剤ロータ４０及び／又は顕熱交換器４２を通過する外気の量を調整することができる。これにより、給気路ファン３２等にかかる負荷を最小限に押さえられ、且つ更なる省エネにつながる。
【００３２】
図４は、本発明の除湿空調装置１０の第３の実施の形態の全体構成を示した斜視図であり、排気路１４にバイパスダクトを設けた例である。
【００３３】
図４に示すように、除湿空調装置１０の構成は図１の除湿空調装置１０と同様であるが、顕熱交換器４２の代わりに除湿剤ロータ４０と同方向に回転しながら顕熱交換を行う顕熱交換ロータ４２Ａと、給気路入口２０の手前に風量を測定する外気風量検出計８４と、給気路入口２０と給気路エアフィルタ３０との間で外気の温湿度を測定する給気路入口温湿度検出計８６と、排気路１４の顕熱交換ロータ４２Ａの回転終端部の下流側と除湿剤ロータ４０の回転終端部の下流側とを直接通風させるための排気路バイパスダクト８０と、排気路バイパスダクト８０の風量を調整する排気路ダンパ８２と、排気路１４の顕熱交換ロータ４２Ａと加熱ヒータ５０との間に温湿度を測定する排気路入口温湿度検出計８８と、前述した３つの検出計と信号ケーブルを介して接続して排気路ダンパ８２の開閉の制御を行う排気路風量コントローラ９０と、が新たに設けられている。そして、排気路バイパスダクト８０において、排気路バイパスダクト入口８０Ａの高さは、排気路１４における顕熱交換ロータ４２Ａの回転方向から１５０〜１８０°の範囲内に設定されている。尚、図１に図示されているモータ４４、外気温湿度検出器４６、運転切り替えコントローラ４８、加熱ヒータ熱媒配管５２、排気路加熱後温度検出計５４、排気路温度コントローラ５６は図示していない。更に、黒色矢印は除湿剤ロータ４０及び顕熱交換ロータ４２Ａの回転する方向を示している。
【００３４】
除湿空調装置１０において、外気風量検出計８４、給気路入口温湿度検出計８６及び排気路入口温湿度検出計８８で検出された値が排気路風量コントローラ９０に送られて、給気路１２と排気路１４との湿分バランスが演算され、排気路１４の風量が最適になるように排気路ダンパ８２の開閉が制御されている。排気路ダンパ８２が開成すると、排気路１４において顕熱交換ロータ４２Ａを通過した排気が排気路バイパスダクト入口８０Ａから排気路バイパスダクト８０を通り、排気路１４における除湿剤ロータ４０の下流に設けられた排気路バイパスダクト出口８０Ｂへとバイパスされる。
【００３５】
次に、上述した本発明第３の実施の形態における除湿空調装置１０の作用について説明する。
【００３６】
図５（Ａ）は、顕熱交換ロータ４２Ａにおける排気路１４の下流面の説明図であり、図５（Ｂ）は、排気路１４における顕熱交換ロータ４２Ａの下流側の表面温度の推移を示すグラフである。図５（Ａ）及び（Ｂ）の斜線部は、排気路１４における顕熱交換ロータ４２Ａの回転方向から１５０〜１８０°の範囲を示している。図５（Ｂ）で示すように、顕熱交換ロータ４２Ａを通過する室内空気は、回転方向終端部へ行くに従い温度が低下しており、特に斜線部の室内空気において通過する室内空気全体の平均温度を下回っていることが分かった。このことから、本願発明者は前記斜線部の室内空気が室内温度全体を低下させて加熱ヒータ５０のエネルギーを浪費する要因となる、という知見を得た。
【００３７】
そこで、低温である斜線部の室内空気は除湿ロータを通過させる必要がないため、前記斜線部の室内空気を除湿剤ロータ４０の下流へ通風させるための排気路バイパスダクト８０を設けることにより、室内空気全体の平均温度を上昇させて、加熱ヒータ５０の更なる省エネを行うことができる。
【００３８】
尚、上述した除湿空調装置１０において、大きさ、形状、数等特に限定するものではない。又、図１〜３で示した顕熱交換器４２は固定式に限定するものではなく、図４〜５で示した回転式の顕熱交換ロータ４２Ａを使用してもよい。更に、給気路ファン３２及び排気路ファン３６は、除湿空調装置１０の外部に設けてもよい。
【００３９】
【発明の効果】
以上説明したように、本発明に係る除湿空調装置において、外気の環境の変化に応じて運転モードを変更したり風量を調整したりすることにより、従来の除湿空調能力を維持しながら大幅な省エネを行うことができる。これにより、除湿空調にかかる設備コスト及びランニングコストを大幅に削減することができる。
【図面の簡単な説明】
【図１】本発明第１の実施の形態である除湿空調装置の全体構成を示す斜視図
【図２】本発明第１の実施の形態である除湿空調装置の全体構成を示す断面図
【図３】発明第２の実施の形態である除湿空調装置の全体構成を示す断面図
【図４】本発明第３の実施の形態である除湿空調装置の全体構成を示す斜視図
【図５】本発明第３の実施の形態である除湿空調装置における、顕熱交換ロータの排気路下流面の説明図及び前記顕熱交換ロータの排気路下流面の表面温度の推移を示すグラフ
【図６】従来例である乾式の除湿空調装置の全体構成を示す断面図
【符号の説明】
１０…除湿空調装置、１２…給気路、１４…排気路、１６…仕切板、２０…給気路入口、２２…給気路出口、２４…排気路入口、２６…排気路出口、３０…給気路エアフィルタ、３２…給気路ファン、３４…排気路エアフィルタ、３６…排気路ファン、４０…除湿剤ロータ、４２…顕熱交換器、４２Ａ…顕熱交換ロータ、４４…モータ、４６…外気温湿度検出器、４８…運転切り替えコントローラ、５０…加熱ヒータ、５２…加熱ヒータ熱媒配管、５４…排気路加熱後温度検出計、５６…排気路温度コントローラ、５８…バルブ、６０…給気路加熱ヒータ、６２…給気路加熱ヒータ熱媒配管、６４…給気路温湿度検出計、６６…給気路温湿度コントローラ、６８…給気路熱媒流量制御装置、７０…加湿器、７２…除湿剤ロータバイパスダクト、７４…除湿剤ロータダンパ、７６…顕熱交換器バイパスダクト、７８…顕熱交換器ダンパ、８０…排気路バイパスダクト、８０Ａ…排気路バイパスダクト入口、８０Ｂ…排気路バイパスダクト出口、８２…排気路ダンパ、８４…外気風量検出計、８６…給気路入口温湿度検出計、８８…排気路入口温湿度検出計、９０…排気路風量コントローラ
【図１】
2004257588.tif 000003
【図２】
2004257588.tif 000004
【図３】
2004257588.tif 000005
【図４】
2004257588.tif 000006
【図５】
2004257588.tif 000007
【図６】
2004257588.tif 000008